(57)【要約】【課題】長時間に亘る電力の浪費を回避し得るテレビを提供する。【解決手段】音声出力状態および消音状態のいずれかに設定制御される音声出力部１８と、電源部１４と、音声出力部１８および電源部１４を制御する制御部２１とを備え、制御部２１は、音声出力部１８を所定時間連続して消音状態に設定制御したときに電源部１４を制御して電源供給を停止させる電源供給停止処理を実行する。この場合、制御部２１が、電源供給停止処理の実行に先立って電源供給を停止する旨を報知すると共に、所定時間の経過以前に所定の操作が行われたときに電源供給停止処理の実行を中止して電源供給を続行させる構成を採用することができる。【選択図】図１
2007251733.tif 000002
【特許請求の範囲】
【請求項１】
音声出力状態および消音状態のいずれかに設定制御される音声出力部と、電源部と、前記音声出力部および前記電源部を制御する制御部とを備え、
前記制御部は、前記音声出力部を所定時間連続して前記消音状態に設定制御したときに前記電源部を制御して電源供給を停止させる電源供給停止処理を実行するテレビ。
【請求項２】
前記制御部は、前記電源供給停止処理の実行に先立って前記電源供給を停止する旨を報知すると共に、前記所定時間の経過以前に所定の操作が行われたときに前記電源供給停止処理の実行を中止して前記電源供給を続行させる請求項１記載のテレビ。
【請求項３】
前記制御部は、前記所定時間よりも長い時間に亘って所定の操作が行われていないときに前記電源部を制御して前記電源供給を停止させる請求項１または２記載のテレビ。
【発明の詳細な説明】
【技術分野】
【０００１】
本発明は、音声出力部および電源部を制御する制御部を備えたテレビに関するものである。
【背景技術】
【０００２】
例えば、重要なテレビ番組の視聴中に電話が着信することがある。このようなときには、映像だけは見逃したくないという意図から、テレビの電源をオフすることなく消音スイッチを操作して、映像を表示させつつ音声出力だけを一時的に停止させて（消音状態として）から電話に応対することがしばしば行われる。しかしながら、電話での会話に夢中になってテレビが消音状態であることを忘れてしまい、そのまま（電源がオン状態のまま）その場を離れたり、そのまま外出したりすることがあり、このようなときには電力が浪費されることとなる。この場合、例えば他の部屋に家族が居たとしても、テレビが消音状態のため、テレビの電源がオン状態であることにその家族が気付くのは困難であり、このようなときにおいても、電源のオン状態が継続されて電力が浪費されることとなる。
【０００３】
この種の問題点を解決可能な手段として、特開２０００−３６１４３号公報には、電源を自動的にオフする自動電源オフ機能を備えたカセットテープ式磁気記録再生装置（以下、単に「記録再生装置」ともいう）が開示されている。この記録再生装置では、予め設定した時間（以下、「電源オフ時間」ともいう）が経過するまでの間に何らの操作も行われなかったときには、電源が自動的にオフされる。このため、上記したように、電源オン状態でかつ消音状態のまま記録再生装置が放置されたとしても、電源オフ時間の経過時点で自動的に電源がオフされるため、電力の浪費を低減することが可能となっている。
【特許文献１】特開２０００−３６１４３号公報（第２−４頁、第１−４図）
【発明の開示】
【発明が解決しようとする課題】
【０００４】
ところが、上記した記録再生装置には、以下の問題点がある。すなわち、この記録再生装置では、例えば、電源オフ時間を短い時間（例えば３０分程度）に設定して長時間のドラマを視聴している状態において、電源オフ時間が経過するまでの間に何らの操作も行わなかったときには、電源が突然にオフされるという不都合が生じる。この場合、電源オフ時間を長い時間（例えば２時間程度）に設定することで、このような不都合を解消することが可能ではあるが、この方法では、上記したように、電源がオン状態でかつ消音状態のまま記録再生装置が放置されたときには、長い時間に設定した電源オフ時間が経過するまで電源がオフされないため、長時間に亘って電力が浪費されるという問題点が依然として存在する。
【０００５】
本発明は、かかる問題点に鑑みてなされたものであり、長時間に亘る電力の浪費を回避し得るテレビを提供することを主目的とする。
【課題を解決するための手段】
【０００６】
上記目的を達成すべく本発明に係るテレビは、音声出力状態および消音状態のいずれかに設定制御される音声出力部と、電源部と、前記音声出力部および前記電源部を制御する制御部とを備え、前記制御部は、前記音声出力部を所定時間連続して前記消音状態に設定制御したときに前記電源部を制御して電源供給を停止させる電源供給停止処理を実行する。なお、本明細書における「電源供給を停止させる」とは、制御部などの最小限の構成要素を除く他の構成要素（少なくとも表示部など）に対する電源供給を停止することをいう。
【０００７】
このテレビによれば、制御部が、音声出力部を所定時間に亘って消音状態に設定制御したときに電源部を制御して電源供給を停止させることにより、例えば、短時間のうちに視聴を再開する意図で映像を表示させつつ一時的に音声出力だけを停止させたテレビを何らかの事情でそのまま放置したとしても、所定時間が経過した時点で電源供給を確実に停止させることができる。このため、この所定時間を適切な短い時間に設定することで、誰も視聴していないテレビに電源が供給され続ける事態を確実に防止することができる結果、長時間に亘る電力の浪費を確実に回避することができる。
【０００８】
また、本発明に係るテレビは、上記のテレビにおいて、前記制御部は、前記電源供給停止処理の実行に先立って前記電源供給を停止する旨を報知すると共に、前記所定時間の経過以前に所定の操作が行われたときに前記電源供給停止処理の実行を中止して前記電源供給を続行させる。
【０００９】
このテレビによれば、制御部が、電源部を制御して電源供給を停止させるのに先立って電源供給を停止する旨を報知することにより、電源供給が間もなく停止されることをユーザーに対して確実に把握させることができる。このため、例えば、短時間のうちに視聴を再開する意図で映像を表示させつつ一時的に音声出力だけを停止させたにも拘わらず、突然に電源供給が停止することに起因してユーザーに対して驚きを与える事態を確実に防止することができる。また、音声出力部が消音状態に設定制御されている状態において所定の操作が行われたときに、制御部が電源供給停止を事前に中止することにより、映像を表示させつつ音声出力だけを停止させた状態を簡易な操作で継続させることができる。
【００１０】
さらに、本発明に係るテレビは、上記のテレビにおいて、前記制御部は、前記所定時間よりも長い時間に亘って所定の操作が行われていないときに前記電源部を制御して前記電源供給を停止させる。
【００１１】
このテレビによれば、上記の所定時間よりも長い時間に亘って所定の操作が行われていないときに、制御部が電源部を制御して電源供給を停止させることにより、音声出力部が消音状態に設定されていない状態で電源スイッチを切り忘れたとしても、その時間の経過時点で電源供給を確実に停止させることができる。このため、このような場合であっても、長時間に亘る電力の浪費を確実に回避することができる。
【発明を実施するための最良の形態】
【００１２】
以下、本発明に係るテレビの最良の形態について、添付図面を参照して説明する。図１に示すプロジェクションテレビ１（以下、単に「テレビ１」ともいう）は、本発明に係るテレビの一例であって、音声出力が停止されている状態（消音状態）が所定時間（例えば、１５分）継続したとき、および何らの操作もされていない状態（無操作状態）が所定時間（例えば、３時間）継続したときに、自動的に電源供給を停止する自動電源オフ機能を備えている。具体的には、テレビ１は、同図に示すように、本体部２およびリモコン３を備えて構成されている。本体部２は、操作部１１、受光部１２、キー入力処理部１３、電源部１４、チューナ１５、放送信号処理部１６、表示部１７、音声出力部１８、消音タイマ１９、無操作タイマ２０および制御部２１を備えて構成されている。
【００１３】
操作部１１は、図２に示すように、本体部２の正面パネルに配設された各種の操作キーを備えて構成され、これらの操作キーが操作されたときに、各操作キーに対応する操作信号Ｓｏを出力する。受光部１２は、リモコン３から出力される赤外線信号Ｓｉを受光して操作信号Ｓｏを出力する。キー入力処理部１３は、操作部１１および受光部１２から出力された操作信号Ｓｏに対応する制御信号Ｓｃを制御部２１に出力する。電源部１４は、制御部２１の制御に従ってテレビ１を構成する各部に電源を供給する。
【００１４】
チューナ１５は、一例として、ＢＳデジタル放送、１１０度ＣＳデジタル放送、地上デジタル放送および地上アナログ放送を受信可能にそれぞれ構成されて、制御部２１の制御に従い、指定されたチャンネルの放送信号Ｓｂを図外のアンテナで受信した放送波から抽出して放送信号処理部１６に出力する。放送信号処理部１６は、制御部２１の制御に従い、チューナ１５から出力された放送信号Ｓｂに基づく映像信号Ｓｐおよび音声信号Ｓｓを表示部１７および音声出力部１８にそれぞれ出力する。また、放送信号処理部１６は、制御部２１の制御に従い、図６に示すメッセージ画像Ｐｍを表示させるための映像信号Ｓｐを出力する。表示部１７は、光学エンジンおよびスクリーンパネル（いずれも図示せず）を備えて構成され、放送信号処理部１６から出力された映像信号Ｓｐに基づいて光変調した投射光をスクリーンパネルに背面側から投射することにより、同図に示すテレビ映像Ｐｔやメッセージ画像Ｐｍをスクリーンパネルに表示する。この場合、上記の光学エンジンは、例えば、光源と、光変調素子（一例として、デジタルマイクロミラーデバイスや液晶ライトバルブ）と、投射レンズ（いずれも図示せず）とを備えて構成されている。音声出力部１８は、アンプおよびスピーカを備えて構成され、放送信号処理部１６から出力された音声信号Ｓｓに基づく音声を出力する。なお、本明細書における「音声」には、人の声のみならず、鳥の鳴き声、風の音および音楽等の各種の「音」が含まれる。
【００１５】
消音タイマ１９は、制御部２１の制御に従い、音声出力部１８からの音声出力が停止されている状態（消音状態）の時間を計測し、その時間が例えば１２分および本発明における所定時間に相当する１５分となったときにそれぞれタイマー信号Ｓｔ１およびタイマー信号Ｓｔ２を制御部２１出力する。無操作タイマ２０は、制御部２１の制御に従い、操作部１１およびリモコン３における各操作キーのいずれもが操作されていない状態（無操作状態）の時間を計測し、その時間が例えば３時間（本発明における所定時間よりも長い時間）となったときにタイマー信号Ｓｔ３を制御部２１に出力する。
【００１６】
制御部２１は、図３に示すキー入力処理５０を実行することにより、キー入力処理部１３から出力される制御信号Ｓｃに応じてテレビ１を構成する各部を制御する。この場合、制御部２１は、リモコン３のミュートキー３４（図２参照）に対応する制御信号Ｓｃがキー入力処理部１３から出力されたときには、音声を出力させる音声出力状態、および音声の出力を停止する消音状態のいずれかの状態に音声出力部１８を設定制御する。また、制御部２１は、音声出力部１８を所定時間（この例では、１５分間）連続して消音状態に設定制御したとき、つまり音声出力部１８からの音声出力が所定時間連続して停止しているときに、図４に示す第１電源オフ処理７０を実行して電源部１４による電源供給を停止させる。また、制御部２１は、リモコン３および操作部１１におけるいずれの操作キーも所定時間連続して操作されていないとき、つまり無操作状態が所定時間（この例では、３時間）連続したときには、図５に示す第２電源オフ処理８０を実行して電源部１４による電源供給を停止させる。
【００１７】
リモコン３は、図２に示すように、本体部２とは別体に形成されている。また、リモコン３は、電源キー３１、チャンネルアップダウンキー３２、音量調整キー３３、ミュートキー（消音・消音解除キー）３４、および自動電源オフ解除キー（以下、単に「解除キー」ともいう）３５などの操作キーが配列されて構成され、これらの操作キーが操作されたときに、各操作キーに対応する赤外線信号Ｓｉを出力（送信）する。
【００１８】
次に、テレビ１の全体的な動作について、図面を参照して説明する。なお、初期状態において、上記した自動電源オフ機能が有効となっているものとする。このテレビ１では、図外のメイン電源スイッチが投入（オン）されている状態では、受光部１２、キー入力処理部１３および制御部２１に対して電源が常時供給され、制御部２１が、リモコン３および操作部１１におけるいずれかの操作キーに対応する制御信号Ｓｃがキー入力処理部１３から出力されたか否かを監視する監視処理を実行している。この状態において、リモコン３の電源キー３１が操作されたときには、リモコン３が電源キー３１に対応する赤外線信号Ｓｉを出力し、受光部１２が、赤外線信号Ｓｉを受光して操作信号Ｓｏを出力する。次いで、キー入力処理部１３がその操作信号Ｓｏに対応する制御信号Ｓｃを制御部２１に出力する。これに応じて、制御部２１は、上記した監視処理において制御信号Ｓｃが出力されたと判別して、図３に示すキー入力処理５０を実行する。
【００１９】
このキー入力処理５０では、制御部２１は、無操作タイマ２０をリセットさせた後に、無操作タイマ２０にタイムカウントをスタートさせる（ステップ５１）。続いて、制御部２１は、キー入力処理部１３から出力された制御信号Ｓｃがミュートキー３４に対応する制御信号Ｓｃであるか否か、つまりミュートキー３４が操作されたか否かを判別する（ステップ５２）。この場合、ミュートキー３４に対応する制御信号Ｓｃではないため、制御部２１は、その制御信号Ｓｃが音量調整キー３３に対応する制御信号Ｓｃであるか否かを判別する（ステップ５３）。この場合、音量調整キー３３に対応する制御信号Ｓｃでもないため、制御部２１は、その制御信号Ｓｃに応じた処理、つまり電源供給処理を実行する（ステップ５４）。この電源供給処理では、制御部２１は、電源部１４を制御してテレビ１の各部に電源を供給する。
【００２０】
次いで、制御部２１は、チューナ１５を制御することにより、直前に選局されていたチャンネル（例えばＢＳ１０２チャンネル）の放送信号Ｓｂを抽出させる。続いて、制御部２１は、放送信号処理部１６を制御して放送信号Ｓｂに基づく映像信号Ｓｐおよび音声信号Ｓｓを表示部１７および音声出力部１８にそれぞれ出力する。次いで、表示部１７が、映像信号Ｓｐに基づいて光変調した投射光をスクリーンパネルに投射する。これにより、図２に示すように、ＢＳ１０２チャンネルのテレビ映像Ｐｔがスクリーンパネルに表示されると共に、ＢＳ１０２チャンネルの音声が音声出力部１８から出力される。続いて、制御部２１は、キー入力処理５０を終了すると共に、上記した監視処理を引き続いて続行する。
【００２１】
次に、例えば、ＢＳ１０２チャンネルに代えて他のチャンネル（例えばＢＳ１０３チャンネル）を選局する際には、リモコン３におけるチャンネルアップダウンキー３２を操作する。この際に、リモコン３がチャンネルアップダウンキー３２に対応する赤外線信号Ｓｉを出力し、受光部１２が赤外線信号Ｓｉを受光して操作信号Ｓｏを出力する。次いで、キー入力処理部１３がその操作信号Ｓｏ、つまりチャンネルアップダウンキー３２に対応する制御信号Ｓｃを制御部２１に出力する。これに応じて、制御部２１が、上記した監視処理において制御信号Ｓｃが出力されたと判別して、キー入力処理５０を実行する。
【００２２】
この場合、制御部２１は、上記したステップ５２およびステップ５３において、出力された制御信号Ｓｃがミュートキー３４に対応する制御信号Ｓｃおよび音量調整キー３３に対応する制御信号Ｓｃではないと判別して、その制御信号Ｓｃに応じた処理、つまりチャンネル切替処理を実行する（ステップ５４）。このチャンネル切替処理では、制御部２１は、上記したようにチューナ１５および放送信号処理部１６を制御してＢＳ１０３チャンネルの放送信号Ｓｂに基づく映像信号Ｓｐおよび音声信号Ｓｓを出力させる。これにより、ＢＳ１０２チャンネルのテレビ映像Ｐｔに代えてＢＳ１０３チャンネルのテレビ映像Ｐｔがスクリーンパネルに表示されると共に、ＢＳ１０２チャンネルの音声に代えてＢＳ１０３チャンネルの音声が音声出力部１８から出力される。次いで、制御部２１は、キー入力処理５０を終了すると共に、上記した監視処理を引き続いて続行する。
【００２３】
次に、音量をアップ（またはダウン）させる際には、リモコン３における音量調整キー３３を操作する。この際に、キー入力処理部１３が音量調整キー３３に対応する制御信号Ｓｃを制御部２１に出力する。これに応じて、制御部２１が、キー入力処理５０を実行する。この場合、制御部２１は、上記したステップ５３において、出力された制御信号Ｓｃが音量調整キー３３に対応する制御信号Ｓｃであると判別して、続いて、音声出力部１８が消音状態であるか否か（音声出力部１８を消音状態に設定制御しているか否か）を判別する（ステップ５５）。この場合、消音状態ではないため、制御部２１は、音量調整処理を実行する（ステップ５６）。この音量調整処理では、制御部２１は、音声出力部１８を制御してアンプの増幅率を増加（または減少）させる。これにより、音声出力部１８から出力される音声の音量がアップ（またはダウン）される。
【００２４】
ここで、例えば、テレビの視聴中に電話が着信して、テレビ映像Ｐｔの表示を継続させた状態で音声出力を停止させる（消音状態とする）際には、リモコン３のミュートキー３４を操作する。この際に、キー入力処理部１３がミュートキー３４に対応する制御信号Ｓｃを制御部２１に出力する。これに応じて、制御部２１がキー入力処理５０を実行する。この場合、制御部２１は、上記したステップ５２において、出力された制御信号Ｓｃがミュートキー３４に対応する制御信号Ｓｃであると判別して、続いて、音声出力部１８が消音状態であるか否かを判別する（ステップ５７）。この場合、消音状態ではないため、制御部２１は、音声出力部１８を消音状態に設定（設定制御）すると共に（ステップ５８）、消音タイマ１９にタイムカウントをスタートさせる（ステップ５９）。これにより、音声出力部１８による音声出力が停止される。このため、ユーザーは、テレビ１の（音声出力部１８からの）音声に妨げられることなく電話での会話に集中することができ、電話での会話を行いつつテレビ映像Ｐｔを観賞することもできる。次いで、制御部２１は、キー入力処理５０を終了すると共に、上記した監視処理を引き続いて続行する。
【００２５】
一方、音声出力部１８からの音声出力を停止させている状態において、例えば、来客に応対するためにテレビ１の設置場所からユーザーが離れ、消音タイマ１９によるタイムカウントのスタートから１２分が経過したときには、消音タイマ１９がタイマー信号Ｓｔ１を制御部２１出力する。この際に、制御部２１は、放送信号処理部１６を制御して、テレビ映像Ｐｔとメッセージ画像Ｐｍと重ね合わせて表示させるための映像信号Ｓｐを出力させる。これにより、図６に示すように、電源供給を停止する旨を報知するメッセージ画像Ｐｍがテレビ映像Ｐｔ上に重ね合わせて表示される。この状態において、ユーザーが来客の応対を終えてテレビ１の設置場所に戻ったときには、メッセージ画像Ｐｍが表示されているため、ユーザーは、電源供給が間もなく停止されることを把握することができる。
【００２６】
この場合、消音状態を解除してテレビ１の視聴を継続する際には、リモコン３の音量調整キー３３またはミュートキー３４を操作する。この際に、例えば、音量調整キー３３を操作したときには、キー入力処理部１３から出力された音量調整キー３３に対応する制御信号Ｓｃに応じて、制御部２１がキー入力処理５０を実行する。この場合、制御部２１は、上記したステップ５３において、出力された制御信号Ｓｃが音量調整キー３３に対応する制御信号Ｓｃであると判別して、続いて、音声出力部１８が消音状態であるか否かを判別する（ステップ５５）。この場合、音声出力部１８が消音状態であるため、制御部２１は、音声出力部１８対する消音状態を解除すると共に（ステップ６０）、消音タイマ１９によるタイムカウントを停止させる（ステップ６１）。また、制御部２１は、放送信号処理部１６を制御して、テレビ映像Ｐｔとメッセージ画像Ｐｍとを表示させる映像信号Ｓｐに代えて、テレビ映像Ｐｔだけを表示させる映像信号Ｓｐを出力させる。これにより、音声出力部１８からの音声出力が再開されると共に、メッセージ画像Ｐｍの表示が停止される。次いで、制御部２１は、キー入力処理５０を終了する。
【００２７】
また、音量調整キー３３に代えてミュートキー３４を操作したときには、キー入力処理部１３から出力されたミュートキー３４に対応する制御信号Ｓｃに応じて、制御部２１がキー入力処理５０を実行する。この場合、制御部２１は、上記したステップ５２において、出力された制御信号Ｓｃがミュートキー３４に対応する制御信号Ｓｃであると判別し、ステップ５７において、音声出力部１８が消音状態であると判別する。続いて、制御部２１は、音声出力部１８対する消音状態を解除すると共に（ステップ６０）、消音タイマ１９によるタイムカウントを停止させた後に（ステップ６１）、放送信号処理部１６を制御して、テレビ映像Ｐｔだけを表示させる映像信号Ｓｐを出力させて、キー入力処理５０を終了する。したがって、ミュートキー３４を操作したときにおいても、音声出力部１８からの音声出力が再開されると共に、メッセージ画像Ｐｍの表示が停止される。
【００２８】
一方、例えば、メッセージ画像Ｐｍが表示されているときに、自動電源オフ機能を無効にして、音声出力を停止させた状態で電源オン状態を継続させるときには、リモコン３の解除キー３５を操作する。この際には、キー入力処理部１３から出力された解除キー３５に対応する制御信号Ｓｃに応じて、制御部２１がキー入力処理５０を実行する。この場合、制御部２１は、上記したステップ５２およびステップ５３において、出力された制御信号Ｓｃがミュートキー３４に対応する制御信号Ｓｃおよび音量調整キー３３に対応する制御信号Ｓｃではないと判別して、その制御信号Ｓｃに応じた処理、つまり自動電源オフ解除処理を実行して（ステップ５４）、キー入力処理５０を終了する。これにより、自動電源オフ機能が無効となり、音声出力が停止された状態で電源オン状態が継続される。
【００２９】
一方、自動電源オフ機能が有効となっている状態において、消音状態が継続されたまま消音タイマ１９によるタイムカウントのスタートから１５分が経過したときには、消音タイマ１９がタイマー信号Ｓｔ２を出力する。この際には、制御部２１は、図４に示す第１電源オフ処理７０を実行する。この第１電源オフ処理７０では、制御部２１は、電源部１４を制御してキー入力処理部１３や制御部２１を除く各部に対する電源供給を停止（電源オフ）させる（ステップ７１）。
【００３０】
また、制御部２１は、上記したように、キー入力処理５０のステップ５１において、無操作タイマ２０にタイムカウントをスタートさせている。この場合、無操作タイマ２０は、タイムカウントのスタートから所定の時間（この例では３時間）が経過するまでに操作部１１およびリモコン３におけるいずれの操作キーも操作されなかったときには、タイマー信号Ｓｔ３を出力する。この際には、制御部２１は、図５に示す第２電源オフ処理８０を実行する。この第２電源オフ処理８０では、制御部２１は、電源部１４を制御してキー入力処理部１３や制御部２１を除く各部に対する電源供給を停止（電源オフ）させる（ステップ８１）。この場合、無操作状態が所定の時間継続したときに電源供給が自動的に停止されるため、テレビ１（音声出力部１８）が消音状態に設定されていないときであっても、長時間に亘る電力の浪費を確実に回避することが可能となっている。
【００３１】
このように、このテレビ１によれば、制御部２１が、音声出力部１８を所定時間に亘って消音状態に設定制御したときに電源部１４を制御して電源供給を停止させることにより、例えば、短時間のうちに視聴を再開する意図で映像を表示させつつ一時的に音声出力だけを停止させたテレビ１を何らかの事情でそのまま放置したとしても、所定時間が経過した時点で電源供給を確実に停止させることができる。このため、この所定時間を適切な短い時間に設定することで、誰も視聴していないテレビ１に電源が供給され続ける事態を確実に防止することができる結果、長時間に亘る電力の浪費を確実に回避することができる。
【００３２】
また、このテレビ１によれば、制御部２１が、電源部１４を制御して電源供給を停止させるのに先立ってメッセージ画像Ｐｍを表示することにより、電源供給が間もなく停止されることをユーザーに対して確実に把握させることができる。このため、例えば、短時間のうちに視聴を再開する意図で映像を表示させつつ一時的に音声出力だけを停止させたにも拘わらず、突然に電源供給が停止することに起因してユーザーに対して驚きを与える事態を確実に防止することができる。また、音声出力部１８が消音状態に設定制御されている状態においてミュートキー３４または音量調整キー３３が操作されたときに、制御部２１が電源供給停止を事前に中止することにより、映像を表示させつつ音声出力だけを停止させた状態を簡易な操作で継続させることができる。
【００３３】
さらに、このテレビ１によれば、制御部２１が、操作部１１およびリモコン３におけるいずれの操作キーも所定時間に亘って操作されていないときに、制御部２１が電源供給を停止させることにより、音声出力部１８が消音状態に設定されていない状態で電源スイッチを切り忘れたとしても、所定時間の経過時点で電源供給を確実に停止させることができる。このため、このような場合であっても、長時間に亘る電力の浪費を確実に回避することができる。
【００３４】
なお、本発明は、上記の構成に限定されない。例えば、リアプロジェクション型のテレビについて上記したが、ＣＲＴ、液晶表示パネルおよびプラズマディスプレイ等で構成された表示部等を備えたテレビに本発明を適用することができる。また、上記のテレビ１では、メッセージ画像Ｐｍを表示させることで電源供給の停止を報知しているが、メッセージ画像Ｐｍの表示に代えて、またはメッセージ画像Ｐｍの表示と共に、音声や警告音の出力、およびインジケータの点滅等によって電源供給の停止を報知する構成を採用することもできる。また、音声出力部１８を消音状態に設定制御する際に、音声出力を停止させる例について上記したが、本発明における消音状態には、音声が低音量で出力されている状態が含まれる。したがって、音声出力部１８を消音状態に設定制御する際に、所定のレベル分だけ音量を低下させたり、所定の低レベルまで音量を低下させる構成を採用することもできる。
【００３５】
また、初期状態において自動電源オフ機能が有効な状態に設定されている例について上記したが、設定操作によって自動電源オフ機能の有効および無効を任意に設定可能な構成を採用することもできる。さらに、消音状態の時間に基づく自動電源オフ機能の有効および無効と、無操作状態の時間に基づく自動電源オフ機能の有効および無効とをそれぞれ個別に設定可能な構成を採用することもできる。また、電源を自動的にオフするまでの無操作状態の時間および消音状態の時間を任意に設定可能な構成を採用することもできる。
【図面の簡単な説明】
【００３６】
【図１】テレビ１の構成を示すブロック図である。
【図２】テレビ１の正面図である。
【図３】キー入力処理５０のフローチャートである。
【図４】第１電源オフ処理７０のフローチャートである。
【図５】第２電源オフ処理８０のフローチャートである。
【図６】テレビ映像Ｐｔおよびメッセージ画像Ｐｍの表示画面図である。
【符号の説明】
【００３７】
１  プロジェクションテレビ、１４  電源部、１８  音声出力部、２１  制御部、３１  電源キー、３２  チャンネルアップダウンキー、３３  音量調整キー、３４  ミュートキー、３５  自動電源オフ解除キー、７０  第１電源オフ処理、８０  第２電源オフ処理、Ｐｍ  メッセージ画像
【図１】
2007251733.tif 000003
【図２】
2007251733.tif 000004
【図３】
2007251733.tif 000005
【図４】
2007251733.tif 000006
【図５】
2007251733.tif 000007
【図６】
2007251733.tif 000008